(57)【特許請求の範囲】
【請求項１】
蓋材原反を打ち抜いて形成した蓋材が剥離層を介して剥離可能に積層された外層と内層とからなる積層シートで構成され、シールされる容器の周縁部に、前記外層を前記内層から剥離するための外層剥離用タブが突出している形状を有する蓋材付き容器の製造方法において、
前記蓋材原反は、前記外層剥離用タブに対応する位置を横断して、前記内層となる層を貫通するハーフカットが形成されていると共に、前記ハーフカット近傍から前記外層剥離用タブの先端に対応する位置にわたり前記外層となる層と前記内層となる層との間全面に剥離剤が塗布された積層シートであり、
前記容器の内部に所望の内容物を入れ、前記蓋材原反でシールした後、前記蓋材原反を、凸刃と凹刃が交互に連なる鋸歯を有する打ち抜き刃で前記容器外周形状に打ち抜く際に、前記外層剥離用タブの周縁に対応する鋸歯における一部の凹刃の底部を、刃を潰した鈍化部とした打ち抜き刃を用いて前記蓋材原反を打ち抜き、前記鈍化部に対応する部分で前記ハーフカットよりも外層剥離用タブの先端側の内層が前記蓋材原反に連なった状態とし、不要となった蓋材原反部分を前記蓋材付き容器から除去する際に前記ハーフカットよりも前記外層剥離用タブの先端側の内層が不要となった蓋材原反側に連なって除去されることを特徴とする蓋材付き容器の製造方法。
【請求項２】
前記内層は前記外層よりも厚さが薄くかつ柔軟であることを特徴とする請求項１に記載の蓋材付き容器の製造方法。
【請求項３】
前記鈍化部を、前記ハーフカットよりも前記外層剥離用タブの先端側でかつ前記ハーフカットに隣接する位置に対応する凹刃の底部に形成することを特徴とする請求項１又は２に記載の蓋材付き容器の製造方法。
【発明の詳細な説明】
【技術分野】
【０００１】
本発明は、液体と固形物の混合物が収容された蓋材付き密封容器の製造方法に関する。さらに詳しくは、例えば蜜豆用寒天、漬け物、水煮野菜、茹で豆等のように、液体に固形物が浸漬された状態の蓋材付き容器に用いられ、使用時に封入されている液体と固形物を容易に分離して取り出せるようにした蓋材付き容器の製造方法に関する。
【背景技術】
【０００２】
従来、液体と固形物が入った容器から液体のみを排出可能とする蓋材付き容器の蓋材として、剥離可能に積層された外層と内層とからなる積層シートで構成された蓋材が知られている（特許文献１参照）。
【０００３】
特許文献１では液体の排出を可能とする蓋材の機構として、開孔用ハーフカット、剥離用タブ、切り離し用ハーフカットが設けられている。開孔用ハーフカットは外層と内層を剥離したときに液体を排出するための孔を形成するために設けられており、剥離用タブと切り離し用ハーフカットは外層と内層を剥離するために設けられている。液体を排出する際は、剥離用タブを引っ張って、開孔用ハーフカット上の外層を剥離して孔を現出させ、容器を孔側に傾けて容器内の液体を排出する。
【０００４】
また、特許文献１の段落［００２８］には、剥離用タブが、積層された内層と外層を部分的に容器の外縁より外方に突出させる一方、この突出部分の基部に、内層側から、内層を貫通するハーフカットを形成することで設けられると記載されている。このような構成では、剥離用タブにおける内層は外層に付着した状態で残留している。
【先行技術文献】
【特許文献】
【０００５】
【特許文献１】特開２００５−６７６９５号公報
【発明の概要】
【発明が解決しようとする課題】
【０００６】
ところで、特許文献１の段落［００２８］に記載の構成とした場合、上述のように剥離用タブにおける内層は外層に付着した状態で残留しているが、例えばボイル殺菌工程における湯せんのとき等に剥離用タブの外層と内層が剥がれることがあり、このように剥がれた該内層が後の工程や流通過程においてハーフカット部分でちぎれて脱落し、タブカスとして製品の収納容器に混入する、製品を収納容器から取り出す際に周囲に散乱する等の問題がある。
【０００７】
この問題を回避するために鋭意検討した結果、製造時に、ハーフカットよりも外層剥離用タブの先端側の内層を除去することを考えた。その方法としては、例えば吸引して除去する方法や人が手作業で除去する方法等が考えられるが、いずれの方法も工程を増やさなければならず、手間がかかり、コストもかかる。
【０００８】
そこで、本発明は、工程を増やさずに、既存の製造工程で、ハーフカットよりも外層剥離用タブの先端側の内層の除去ができる蓋材付き容器の製造方法を提供することを目的とする。
【課題を解決するための手段】
【０００９】
上記課題を解決するために、本発明は、蓋材原反を打ち抜いて形成した蓋材が剥離層を介して剥離可能に積層された外層と内層とからなる積層シートで構成され、シールされる容器の周縁部に、前記外層を前記内層から剥離するための外層剥離用タブが突出している形状を有する蓋材付き容器の製造方法において、前記蓋材原反は、前記外層剥離用タブに対応する位置を横断して、前記内層となる層を貫通するハーフカットが形成されていると共に、前記ハーフカット近傍から前記外層剥離用タブの先端に対応する位置にわたり前記外層となる層と前記内層となる層との間全面に剥離剤が塗布された積層シートであり、前記容器の内部に所望の内容物を入れ、前記蓋材原反でシールした後、前記蓋材原反を、凸刃と凹刃が交互に連なる鋸歯を有する打ち抜き刃で前記容器外周形状に打ち抜く際に、前記外層剥離用タブの周縁に対応する鋸歯における一部の凹刃の底部を、刃を潰した鈍化部とした打ち抜き刃を用いて前記蓋材原反を打ち抜き、前記鈍化部に対応する部分で前記ハーフカットよりも外層剥離用タブの先端側の内層が前記蓋材原反に連なった状態とし、不要となった蓋材原反部分を前記蓋材付き容器から除去する際に前記ハーフカットよりも前記外層剥離用タブの先端側の内層が不要となった蓋材原反側に連なって除去されることを特徴とする蓋材付き容器の製造方法を提供するものである。
【発明の効果】
【００１０】
本発明によれば、工程を増やさずに、既存の製造工程で、ハーフカットよりも外層剥離用タブの先端側の内層を除去することができる。その結果、タブカスが製品の収納容器に混入すること、収納容器から製品を取り出す際に周囲に散乱すること等を防ぐことができる。
【図面の簡単な説明】
【００１１】
【図１】本発明の製造方法により製造される蓋材付き容器を示す図である。
【図２】本発明に用いられる積層シートの蓋材原反の一例を示す図である。
【図３】本発明に用いられる打ち抜き刃の一例を示す図である。
【図４−１】本発明の外形打ち抜き工程を説明する断面図である。
【図４−２】本発明の外形打ち抜き工程を説明する断面図である。
【図５】打ち抜き後の不要蓋材原反部分（抜きカス）を示す図である。
【発明を実施するための形態】
【００１２】
以下、図面を用いて本発明を説明する。なお、図１〜図５において、同じ符号は同様の部材又は部位を示す。
【００１３】
本発明に係る蓋材付き容器を図１に示す。
【００１４】
図１（ａ）は蓋材付き容器の斜視図、図１（ｂ）は図１（ａ）の蓋材付き容器をＡ−Ａ’断面で切断したときの断面図であり、１は蓋材、２は容器である。なお、本発明に係る蓋材付き容器の形状は図１に示す形状に限定されるわけではない。
【００１５】
本発明に用いる蓋材は剥離可能に積層された外層３と内層４とからなる積層シートで構成されている。容器２の開口部をシールする蓋材１の周縁部の一部分には、容器２の開口部の周縁部から外方に向けて外層３が突出しており、外層３の突出している部分が、外層３を内層４から剥離するための外層剥離用タブ５となっている。外層剥離用タブ５の少なくとも先端部分の内層４は剥離されている（除去されている）。一方、蓋材１の周縁部の外層剥離用タブ５と相対向する位置には、容器２の開口部の周縁部から外方に向けて外層３及び内層４が同じ大きさ・形状で重なって突出しており、内層４の突出している部分が、内層４を容器２から剥離するための内層剥離用タブ６となっている。また、内層４には蓋材１と容器２との溶着部分よりも内側に液体排出用の孔（液切り孔）を形成するための開孔用ハーフカット７が設けられている。図１では円形の開孔用ハーフカット７を３つ設けているが、形状は円形でなくても良く、個数は３つでなくても良い。
【００１６】
本発明は、充填シール機上で容器の開口部をシールした積層シートの原反から打ち抜き刃によって蓋材を打ち抜いた後、外層剥離用タブの少なくとも先端部分の内層、正確には後述のハーフカットよりも外層剥離用タブの先端側の内層（タブカス）を除去することを特徴とする。
【００１７】
本発明で使用する充填シール機では、まず、容器が供給され、容器の内部に液体と固形物からなる内容物が充填される。続いて、ハーフカットと剥離剤塗布が既に施され、外層あるいは内層に所望の印刷をされた積層シートの原反が供給され、原反により容器の開口部をシールする。その後、外形打ち抜き工程（トリミング工程）において、打ち抜き刃により原反を容器外周形状に打ち抜き、蓋材付き容器が原反から切り離され、製品として排出される。蓋材の打ち抜き時において後述のハーフカットよりも外層剥離用タブの先端側の内層（タブカス）は、後述する鈍化部に対応する部分で原反に連なった状態である。外形打ち抜き工程後、不要となった原反部分（抜きカス）と一緒にタブカスが連なって除去されるために、本発明では後述する打ち抜き刃を使用する。
【００１８】
まず、積層シートの蓋材原反について説明する。
【００１９】
図２は本発明に用いるハーフカットと剥離剤が施された積層シートの蓋材原反８の平面図である。尚、この図では印刷が何もされていない例を示すが、点線で示される蓋材平面外形は、本発明を理解する上で、便宜上表した。
【００２０】
本発明に用いる積層シートの原反８は、図１で説明した蓋材と同様に剥離可能に積層された外層３と内層４とからなる積層シートで構成されている。積層構成については、外層３と内層４をそれぞれ単層としても良いし、各層が複数の層からなる積層構成としても良い。外層３と内層４をそれぞれ複数の層の積層構成とする場合、例えば外層３を外面側からバリア層／中間層／剥離層の順で積層したものとし、内層４を外層側からＰＥＴ層／熱融着層の順で積層したものが挙げられる。この場合、外層３と内層４は剥離層とＰＥＴ層の界面で剥離可能に積層される。
【００２１】
原反８には図２のようにハーフカット処理、剥離剤塗布、所望の印刷（図示せず）が施されている。蓋材１の形状については、容器の開口部の形状に合わせて決めるが、容器の開口部が円形の容器であれば、例えば図２のように打ち抜き後に外層剥離用タブとなる部分及び内層剥離用タブとなる部分を、蓋材１の周縁部の相対向する位置から外方に向けてそれぞれ突出した形状とするのが好ましい。以下では、「打ち抜き後に外層剥離用タブとなる部分」を、単に「外層剥離用タブ」と言うこともある。
【００２２】
また、外層剥離用タブにおける内層には、図２のように外層剥離用タブに対応する位置を横断して、内層を貫通するハーフカット９が形成されている。ここで、「横断」とは、外層剥離用タブの突出方向に対して垂直な方向を指す。蓋材と容器との溶着部分よりも内側の内層には、液体排出用の孔（液切り孔）を形成するための開孔用ハーフカット７が設けられている。開孔用ハーフカット７はハーフカット９と同様に内層を貫通している。以下、「外層剥離用タブに対応する位置を横断して、内層を貫通するハーフカット」を、単に「ハーフカット」と言うこともある。
【００２３】
さらに、原反８にはハーフカット９近傍から外層剥離用タブの先端にわたり、外層と内層との間全面により剥離し易くするための剥離剤（剥離ニス）が塗布されており、図２の斜線で囲まれた部分が剥離剤を塗布した部分である。剥離剤は図２のようにハーフカット９よりも容器側に若干近づいた位置から、外層剥離用タブの先端側を越えた部分まで塗布されるのが好ましく、塗布する量は外層と内層が容易に剥離する量に調節する。剥離剤としては、硝化綿、ポリエチレンワックス、シリコン等を主成分とする剥離剤を用いるのが好ましい。上記に例として挙げた３層からなる外層と２層からなる内層の積層構成では、剥離層とＰＥＴ層との間に剥離剤を塗布する。
【００２４】
次に、打ち抜き刃について説明する。
【００２５】
図３は本発明に用いる打ち抜き刃の一部分を示す図である。
【００２６】
本発明に用いる打ち抜き刃１０は蓋材の形状をなすように刃が設けられており、凸刃と凹刃が交互に連なる鋸歯を有し、鋸歯における一部の凹刃の底部を潰している。図３の点線で囲まれた部分が凹刃の底部であり、１１は凹刃の底部を潰した部分である。以下では、凹刃の底部を潰した部分を「鈍化部」と言い、鈍化部が原反に触れる部分を「鈍化部に対応する部分」と言う。
【００２７】
鈍化部１１は図３のように平坦に加工するのが好ましい。ただし、本発明に係る打ち抜き刃１０の加工はこのような加工に限定されるわけではなく、凹刃の底部を潰す加工であればどのような加工であっても構わない。例えば、凹刃の底部を曲線とする鈍化部１１を設けても良い。
【００２８】
図３のように打ち抜き刃１０を加工することにより、打ち抜き刃１０で原反から蓋材を打ち抜くときに、鈍化部１１に対応する部分以外では、鋸歯によって原反が切れ、蓋材が原反から切り離される。一方、鈍化部１１に対応する部分では、鋸歯によって該部分の原反が切れず、該部分の原反は打ち抜き刃１０にかかる力で下に押し下げられて延びる。
【００２９】
鈍化部１１は外層剥離用タブの周縁に対応する鋸歯における一部の凹刃の底部を潰して設けるのが好ましい。具体的には、ハーフカットよりも外層剥離用タブの先端側の周縁部に設けるのが好ましい。ここで、外層剥離用タブにおける内層の先端部分と根元部分を比べると、根元部分は容器と内層との溶着部分に近いため撓んだり歪んだりしにくいが、先端部分は該溶着部分から離れているため根元部分よりも撓んだり歪んだりしやすい。そのため、鈍化部１１に対応する部分が鈍化部１１により下に押し下げられた場合、先端部分の方が根元部分よりもちぎれやすい。本発明では鈍化部１１に対応する部分を原反に残留させたいため、鈍化部１１はハーフカットよりも外層剥離用タブの先端側でかつハーフカットに隣接する位置に対応する凹刃の底部に設けるのがより好ましい。
【００３０】
続いて、蓋材の外形打ち抜き工程後のハーフカットよりも外層剥離用タブの先端側の内層（タブカス）の除去処理について説明する。以下では、「ハーフカットよりも外層剥離用タブの先端側」を、「ハーフカットよりも先端側」と言うこともある。
【００３１】
本発明では外形打ち抜き工程後にタブカスの除去を行う。なお、外形打ち抜き工程の前に行われるシール工程では、ハーフカットが容器の開口部の周縁部にかからないように、即ちハーフカットを容器の開口部の周縁部よりも外側に配置して、原反により容器の開口部をシールしておくのが好ましい。
【００３２】
図４−１及び図４−２は本発明の外形打ち抜き工程の一例として、ハーフカットよりも外層剥離用タブの先端側でかつハーフカットに隣接する位置に対応する凹刃の底部に鈍化部を設けた場合の打ち抜き工程を説明する図である。また、図４−１及び図４−２は図１（ａ）の蓋材及び容器を、外層剥離用タブの先端部分と内層剥離用タブの先端部分とを結ぶ線で上下に切断したときの断面図であり、１３は鈍化部１１に対応する部分である。
【００３３】
図４−１（ａ）は原反８により容器２がシールされバケット１２に固定された状態、即ち蓋材を打ち抜く前の状態、図４−１（ｂ）は蓋材の打ち抜きを行ってハーフカットよりも先端側の内層（タブカス）１４を鈍化部に対応する部分に連なった状態で残して蓋材を打ち抜いた状態、図４−２（ｃ）は蓋材の打ち抜きが終わり打ち抜き刃１０を元の位置に戻した後の状態を示す図である。図４−２（ｄ）は図４−２（ｃ）の点線で囲まれた部分を拡大した図、図５は図４−２（ｃ）の状態から、不要な原反部分（抜きカス）を巻き取ることにより蓋材付き容器を蓋材原反から分離し、かつ蓋材からタブカスを除去した後の、不要な原反部分とタブカスを示す平面図である。
【００３４】
まず、図４−１（ａ）のように打ち抜き刃１０に対して原反８付き容器２を適切な位置に合わせ、固定する。ここでは、打ち抜き刃１０を原反８上に下ろしたときに、打ち抜き刃１０が容器２の周縁部に触れないような位置に容器２及び原反８を配置し、固定する。
【００３５】
次に、図４−１（ｂ）のように容器２及び原反８に対して打ち抜き刃１０を下ろしていき、蓋材の打ち抜きが始まる。打ち抜き刃１０が原反８に触れてから、ハーフカットよりも先端側の内層１４が除去されるまでの詳細は以下のとおりである。
【００３６】
まず、上述のように鈍化部１１に対応する部分１３以外では、鋸歯によって原反８が切れ、蓋材付き容器が原反８から切り離されることになるが、鈍化部１１に対応する部分１３では、鈍化部１１によって前記部分の原反８は切れず、前記部分の原反８は打ち抜き刃１０にかかる力で下に押し下げられて、剥離剤の影響により外層剥離用タブのハーフカットよりも先端部分の外層と内層とが、剥離した状態になる。なお、鈍化部１１に対応する外層３の部分では、原反８の外層３と蓋材１の外層３とにちぎれて切断されても良い。図４−１（ｂ）ではハーフカットよりも先端側の内層１４は鈍化部に対応する部分で原反に連なった状態であるが、打ち抜き刃１０の向こう側にあるため図示していない。また、鈍化部１１から上に延びている線は、鈍化部１１に対応する部分の外層３が延ばされた状態を示しており、図４−２（ｃ）及び図４−２（ｄ）では図示を省略している。
【００３７】
打ち抜きの終了後、不要な原反部分（抜きカス）は、上方（図４−２（ｄ）の場合、図面上部の方向）へ引っ張りながら巻き取られる。この時、容器の重さを利用し、鈍化部１１に対応する部分１３の外層が蓋材から引きちぎられ、ハーフカットよりも先端側の内層（タブカス）１４は、鈍化部１１に対応する部分１３で不要となった原反８側に連なって蓋材から除去される。
【００３８】
より確実にハーフカットよりも先端側の内層（タブカス）１４を除去するためには、原反８として、内層が外層よりも厚さが薄く、柔軟性を有すると、打ち抜き時の打ち抜き刃とバケット間の隙間に対応する変形が生じ易く好ましい。
【００３９】
上記のように、本発明によれば、工程を増やさずに、既存の製造工程で、ハーフカットよりも外層剥離用タブの先端側の内層（タブカス）を除去することができる。その結果、タブカスが製品の収納容器に混入すること、収納容器から製品を取り出す際に周囲に散乱すること等を防ぐことができる。
【符号の説明】
【００４０】
１：蓋材、２：容器、３：外層、４：内層、５：外層剥離用タブ、６：内層剥離用タブ、８：原反、９：ハーフカット、１０：打ち抜き刃、１１：鈍化部、１３：鈍化部に対応する部分、１４：ハーフカットよりも外層剥離用タブの先端側の内層（タブカス）
【図１】
0005513103.tif 000002
【図２】
0005513103.tif 000003
【図３】
0005513103.tif 000004
【図４−１】
0005513103.tif 000005
【図４−２】
0005513103.tif 000006
【図５】
0005513103.tif 000007